(57)【要約】【課題】スイッチング電源の回路構成の複雑化および効率の低下を防止しつつ、間欠発振制御を開始するタイミングが変化してしまうのを抑制すること。【解決手段】ＬＬＣ共振回路およびスイッチ素子Ｑ１、Ｑ２を有するスイッチング電源１は、出力電圧の電圧値と、基準電圧源Ｖｒｅｆの電源電圧により定まる出力電圧の目標値と、の誤差を検出し、検出結果に応じて端子Ｐ１の電圧を変化させる。また、制御回路１０により、端子Ｐ１の電圧に基づいてスイッチ素子Ｑ１、Ｑ２のオン・オフの周波数を制御し、端子Ｐ１の電圧が第１の閾値電圧以上になると、スイッチ素子Ｑ１、Ｑ２の発振を一時的に休止させる。また、入力電圧検出部２０により、入力電圧、または、入力電圧に応じた電圧を検出し、制御回路１０により、入力電圧検出部２０により検出された電圧に応じて、第１の閾値電圧を設定する。【選択図】図１
2014093810.tif 000002
【特許請求の範囲】
【請求項１】
共振回路およびスイッチ素子を有するスイッチング電源であって、
入力電圧、入力電圧に応じた電圧、出力電圧、または出力電圧に応じた電圧を検出する電圧検出手段と、
前記スイッチ素子のオン・オフの周波数を制御する制御手段と、を備え、
前記制御手段は、
前記電圧検出手段により間欠発振制御を開始する時点の電圧を検出し、この電圧に応じて、予め定められた閾値電圧を設定する端子電圧制御手段を有し、
出力電圧または出力電圧に応じた電圧が前記閾値電圧以上になると、前記スイッチ素子のオン・オフを休止させることを特徴とするスイッチング電源。
【請求項２】
前記端子電圧制御手段は、
前記電圧検出手段により検出される電圧と、前記閾値電圧と、の関係を示す情報を予め保持しており、
前記情報を用いて、前記電圧検出手段により検出された電圧に応じた閾値電圧の電圧値を求め、求めた電圧値に閾値電圧を制御することを特徴とする請求項１に記載のスイッチング電源。
【請求項３】
前記制御手段は、前記スイッチング電源の１次側に設けられ、
前記出力電圧または出力電圧に応じた電圧を、前記スイッチング電源の２次側から１次側に信号伝達する伝達手段を備えることを特徴とする請求項１または２に記載のスイッチング電源。
【請求項４】
前記制御手段は、前記スイッチング電源の２次側に設けられ、前記スイッチ素子のオン・オフの周波数を制御する制御信号を、当該スイッチング電源の２次側から１次側に信号伝達する伝達手段を介して、前記スイッチ素子に伝達することを特徴とする請求項１または２に記載のスイッチング電源。
【請求項５】
前記スイッチング電源の入力部に力率改善回路を備えることを特徴とする請求項１から４のいずれかに記載のスイッチング電源。
【発明の詳細な説明】
【技術分野】
【０００１】
本発明は、スイッチング電源に関する。
【背景技術】
【０００２】
従来、共振回路を有するスイッチング電源が提案されている（例えば、非特許文献１参照）。
【０００３】
［スイッチング電源１００の構成］
図６は、従来例に係るスイッチング電源１００の回路図である。スイッチング電源１００は、トランスＴと、トランスＴの１次巻線Ｗ１に接続された１次側回路と、トランスＴの２次巻線Ｗ２、Ｗ３に接続された２次側回路と、を備える。
【０００４】
まず、１次側回路について説明する。１次側回路は、ＮチャネルＭＯＳＦＥＴで構成されるスイッチ素子Ｑ１、Ｑ２と、制御回路１１０と、キャパシタＣ１と、インダクタＬと、フォトトランジスタＰＣ２と、抵抗Ｒ０と、を備える。
【０００５】
スイッチ素子Ｑ１、Ｑ２はハーフブリッジ回路を形成しており、スイッチ素子Ｑ１のドレインには、入力端子ＩＮが接続される。スイッチ素子Ｑ２のソースには、基準電位源に接続された入力端子ＧＮＤが接続される。スイッチ素子Ｑ１のソースと、スイッチ素子Ｑ２のドレインとには、キャパシタＣ１およびインダクタＬを介して、１次巻線Ｗ１の一端が接続される。キャパシタＣ１とインダクタＬと１次巻線Ｗ１とは、ＬＬＣ共振回路を形成する。１次巻線Ｗ１の他端には、入力端子ＧＮＤが接続される。
【０００６】
スイッチ素子Ｑ１のゲートと、スイッチ素子Ｑ２のゲートと、には制御回路１１０が接続される。この制御回路１１０には、入力端子ＧＮＤが接続されるとともに、端子Ｐ１においてフォトトランジスタＰＣ２のエミッタが接続され、端子Ｐ２において抵抗Ｒ０を介して入力端子ＧＮＤが接続される。フォトトランジスタＰＣ２のコレクタには、電圧源Ｖ１が接続される。
【０００７】
次に、２次側回路について説明する。２次側回路は、ダイオードＤ１、Ｄ２と、キャパシタＣ２、Ｃ３と、抵抗Ｒ１〜Ｒ４と、基準電圧源Ｖｒｅｆと、誤差増幅器ＡＭＰと、フォトダイオードＰＣ１と、を備える。
【０００８】
ダイオードＤ１のアノードには、２次巻線Ｗ２の一端が接続され、ダイオードＤ２のアノードには、２次巻線Ｗ３の他端が接続される。ダイオードＤ１のカソードと、ダイオードＤ２のカソードとには、出力端子ＯＵＴ１が接続される。２次巻線Ｗ２の他端と、２次巻線Ｗ３の一端とには、出力端子ＯＵＴ２が接続される。出力端子ＯＵＴ１と出力端子ＯＵＴ２とは、キャパシタＣ２を介して接続されるとともに、抵抗Ｒ３、Ｒ４を介して接続される。
【０００９】
抵抗Ｒ３の一端には、出力端子ＯＵＴ１が接続され、抵抗Ｒ３の他端には、抵抗Ｒ４の一端が接続され、抵抗Ｒ４の他端には、出力端子ＯＵＴ２が接続される。抵抗Ｒ３の他端と、抵抗Ｒ４の一端とには、誤差増幅器ＡＭＰの反転入力端子が接続されるとともに、キャパシタＣ３および抵抗Ｒ２を介して誤差増幅器ＡＭＰの出力端子が接続される。誤差増幅器ＡＭＰの非反転入力端子には、基準電圧源Ｖｒｅｆの正極が接続され、基準電圧源Ｖｒｅｆの負極には、出力端子ＯＵＴ２が接続される。
【００１０】
誤差増幅器ＡＭＰの出力端子には、フォトダイオードＰＣ１のカソードが接続され、フォトダイオードＰＣ１のアノードには、抵抗Ｒ１を介して出力端子ＯＵＴ１が接続される。このフォトダイオードＰＣ１は、フォトトランジスタＰＣ２と対に設けられており、フォトダイオードＰＣ１およびフォトトランジスタＰＣ２は、フォトカプラを構成する。
【００１１】
［スイッチング電源１００の動作］
以上の構成を備えるスイッチング電源１００は、端子Ｐ１の電圧に応じて制御回路１１０によりスイッチ素子Ｑ１、Ｑ２のオン・オフの周波数を制御して、入力端子ＩＮ、ＧＮＤから入力された入力電圧を所定の電圧に変換して、出力電圧として出力端子ＯＵＴ１、ＯＵＴ２から出力する。
【００１２】
端子Ｐ１の電圧は、出力電圧に応じて変化する。具体的には、出力電圧の電圧値と、基準電圧源Ｖｒｅｆの電源電圧により定まる出力電圧の目標値と、の誤差である誤差電圧を誤差増幅器ＡＭＰにより検出し、検出結果に応じた光量の光をフォトダイオードＰＣ１からフォトトランジスタＰＣ２に出射する。フォトトランジスタＰＣ２は、フォトダイオードＰＣ１から受光した光量に応じた電流を、電圧源Ｖ１から端子Ｐ１に向かって流す。これによれば、端子Ｐ１の電圧は、誤差電圧に応じて、すなわち出力電圧に応じて、変化することになる。
【００１３】
ところで、上述のようなスイッチング電源において、軽負荷時や無負荷時にスイッチ素子を間欠発振させる技術が提案されている。スイッチ素子を間欠発振させると、スイッチング動作が一時的に休止する。このため、単位時間当たりのスイッチング回数を減少させて、単位時間当たりのスイッチング損失を低減することができるので、軽負荷時や無負荷時における電力変換効率を向上させることができる。
【００１４】
例えば、図６に示した従来例に係るスイッチング電源１００において、間欠発振制御を開始する場合について、図８〜図１１を用いて以下に説明する。
【００１５】
図８は、軽負荷時における出力電圧の変化を示す図であり、縦軸は、出力電圧Ｖｏを示し、横軸は、時刻を示す。図９は、軽負荷時におけるスイッチング電源１００の端子Ｐ１の電圧の変化を示す図であり、縦軸は、端子Ｐ１の電圧ＶＰ１を示し、横軸は、時刻を示す。
【００１６】
負荷が軽くなると、ダイオードＤ１の寄生容量と、ダイオードＤ２の寄生容量と、により、スイッチング電源１００の発振周波数ｆｓｗが上昇する。そして、発振周波数ｆｓｗが、予め定められた発振周波数ｆｓｗの上限である最大発振周波数ｆｍａｘまで上昇しても、さらに負荷が軽くなると、発振周波数ｆｓｗは上昇できないため、図８に示すように出力電圧Ｖｏが上昇する。出力電圧Ｖｏが上昇すると、図９に示すように誤差電圧に応じて端子Ｐ１の電圧ＶＰ１も上昇する。そして、端子Ｐ１の電圧ＶＰ１が、予め定められた第１の閾値電圧Ｖａ以上になると、制御回路１１０は、間欠発振制御を開始して、スイッチ素子Ｑ１、Ｑ２の発振を一時的に休止させる。
【００１７】
図１０は、出力電圧Ｖｏと発振周波数ｆｓｗとの関係を示す図である。図１０において、縦軸は、出力電圧Ｖｏを示し、横軸は、スイッチング電源１００の発振周波数ｆｓｗを示す。図１１は、図１０に示した例とは異なる軽負荷時におけるスイッチング電源１００の端子Ｐ１の電圧の変化を示す図であり、縦軸は、端子Ｐ１の電圧ＶＰ１を示し、横軸は、時刻を示す。
【００１８】
出力電圧ＶｏがＶ１であるときの発振周波数ｆｓｗをｆ１、出力電圧ＶｏがＶ２であるときの発振周波数ｆｓｗをｆ２とする。すると、発振周波数ｆｓｗが最大発振周波数ｆｍａｘになってから、出力電圧Ｖｏに応じた端子Ｐ１の電圧ＶＰ１が上述の第２の閾値電圧Ｖｂ以上になるまでの負荷電流は、出力電圧ＶｏがＶ１である場合でもＶ２である場合でも、等しい。このため、発振周波数ｆｓｗが最大発振周波数ｆｍａｘになってから、間欠発振制御を開始するまでの負荷電流は、出力電圧ＶｏがＶ１である場合でもＶ２である場合でも、等しくなる。
【００１９】
しかしながら、負荷が軽くなり始めてから、発振周波数ｆｓｗが最大発振周波数ｆｍａｘになるまでの負荷電流は、Δ１およびΔ２で示したように、出力電圧ＶｏがＶ１である場合とＶ２である場合とで、異なる。
【００２０】
このため、上述のように、間欠発振制御を開始するタイミングは、出力電圧Ｖｏの電圧値によって、異なってしまう。
【００２１】
また、スイッチング電源の発振周波数と出力電圧との間には、相関関係があるのと同様に、スイッチング電源の発振周波数と入力電圧がとの間にも、相関関係がある。このため、間欠発振制御を開始するタイミングは、入力電圧の電圧値によっても、異なってしまう。
【００２２】
そこで、このような課題を解決するために、図７に示すようなスイッチング電源１００Ａにおいて、軽負荷時や無負荷時にスイッチ素子を間欠発振させる技術が提案されている（例えば、特許文献１参照）。このスイッチング電源１００Ａでは、出力電流を検出し、検出結果に応じた信号が、絶縁回路１３０を介して間欠発振信号発生部１２０に出力される。スイッチング電源１００Ａの出力電圧により駆動される負荷が軽負荷状態や無負荷状態になると、間欠発振信号が間欠発振信号発生部１２０から制御回路１１０Ａに出力され、間欠発振制御を開始する。
【先行技術文献】
【特許文献】
【００２３】
【特許文献１】特開２００８−１０９７６６号公報
【非特許文献】
【００２４】
【非特許文献１】ＮＣＰ１３９７Ａ、［online］、［平成２４年８月６日検索］、インターネット<URL: http://www.onsemi.com/pub_link/Collateral/NCP1397JP.rev4.pdf>
【発明の概要】
【発明が解決しようとする課題】
【００２５】
しかしながら、図７に示したスイッチング電源１００Ａは、出力電流検出回路、絶縁回路１３０、および間欠発振信号発生部１２０を必要とし、さらに出力電流検出回路は、検出した電流を電圧に変換するための変換回路や増幅回路を必要とする。このため、回路が複雑化するとともに、電流検出素子による損失が発生してしまう。したがって、スイッチング電源１００Ａ全体の回路構成が複雑化するとともに、効率が低下するという課題を有することとなる。
【００２６】
上述の課題を鑑み、本発明は、スイッチング電源の回路構成の複雑化および効率の低下を防止しつつ、間欠発振制御を開始するタイミングが変化してしまうのを抑制することを目的とする。
【課題を解決するための手段】
【００２７】
本発明は、上述の課題を解決するために、以下の事項を提案している。
（１）  本発明は、共振回路（例えば、図１のキャパシタＣ１とインダクタＬと１次巻線Ｗ１とで形成されるＬＬＣ共振回路に相当）およびスイッチ素子（例えば、図１のスイッチ素子Ｑ１、Ｑ２に相当）を有するスイッチング電源（例えば、図１のスイッチング電源１に相当）であって、入力電圧、入力電圧に応じた電圧、出力電圧、または出力電圧に応じた電圧を検出する電圧検出手段（例えば、図１の入力電圧検出部２０に相当）と、前記スイッチ素子のオン・オフの周波数を制御する制御手段（例えば、図１の制御回路１０に相当）と、を備え、前記制御手段は、前記電圧検出手段により間欠発振制御を開始する時点の電圧を検出し、この電圧に応じて、予め定められた閾値電圧（例えば、後述の第１の閾値電圧Ｖａに相当）を設定する端子電圧制御手段（例えば、図１の端子電圧制御部１１に相当）を有し、出力電圧または出力電圧に応じた電圧が前記閾値電圧以上になると、前記スイッチ素子のオン・オフを休止させることを特徴とするスイッチング電源を提案している。
【００２８】
この発明によれば、共振回路およびスイッチ素子を有するスイッチング電源に、電圧検出手段および制御手段を設けた。そして、電圧検出手段により、入力電圧、入力電圧に応じた電圧、出力電圧、または出力電圧に応じた電圧を検出することとした。また、制御手段に端子電圧制御手段を設け、端子電圧制御手段により、間欠発振制御を開始する時点で電圧検出手段により検出された電圧に応じて、閾値電圧を設定することとした。そして、制御手段により、出力電圧または出力電圧に応じた電圧が上述の閾値電圧以上になると、スイッチ素子のオン・オフを休止させることとした。
【００２９】
これによれば、端子電圧制御手段は、入力電圧、入力電圧に応じた電圧、出力電圧、または出力電圧に応じた電圧に応じて、閾値電圧を設定することになる。したがって、入力電圧や出力電圧が異なっていても、入力電圧や出力電圧に応じて閾値電圧を設定して、負荷が軽くなり始めてから、入力電圧、入力電圧に応じた電圧、出力電圧、または出力電圧に応じた電圧が閾値電圧になるまでの負荷電流を、等しくすることができる。よって、間欠発振制御を開始するタイミングが変化してしまうのを抑制できる。
【００３０】
また、出力電流を検出することなく、上述のように間欠発振制御を開始するタイミングが変化してしまうのを抑制できる。このため、スイッチング電源全体の回路構成が複雑かしてしまうのを防止できるとともに、効率の低下を防止できる。
【００３１】
（２）  本発明は、（１）のスイッチング電源について、前記端子電圧制御手段は、前記電圧検出手段により検出される電圧と、前記閾値電圧と、の関係を示す情報（例えば、後述のテーブルに相当）を予め保持しており、前記情報を用いて、前記電圧検出手段により検出された電圧に応じた閾値電圧の電圧値を求め、求めた電圧値に閾値電圧を制御することを特徴とするスイッチング電源を提案している。
【００３２】
この発明によれば、（１）のスイッチング電源において、端子電圧制御手段は、電圧検出手段により検出される電圧と、閾値電圧と、の関係を示す情報を予め保持しているものとした。そして、この端子電圧制御手段により、上述の情報を用いて、電圧検出手段により検出された電圧に応じた閾値電圧の電圧値を求め、求めた電圧値に閾値電圧を設定することとした。このため、出力電圧または出力電圧に応じた電圧に応じて閾値電圧を設定することができる。したがって、上述した効果と同様の効果を奏することができる。
【００３３】
（３）  本発明は、（１）または（２）のスイッチング電源について、前記制御手段は、前記スイッチング電源の１次側に設けられ、前記出力電圧または出力電圧に応じた電圧を、前記スイッチング電源の２次側から１次側に信号伝達する伝達手段（例えば、図１のフォトダイオードＰＣ１およびフォトトランジスタＰＣ２に相当）を備えることを特徴とするスイッチング電源を提案している。
【００３４】
この発明によれば、（１）または（２）のスイッチング電源において、制御手段をスイッチング電源の１次側に設け、出力電圧または出力電圧に応じた電圧をスイッチング電源の２次側から１次側に信号伝達する伝達手段を設けた。このため、制御手段がスイッチング電源の１次側にある場合であっても、出力電圧または出力電圧に応じた電圧を制御手段に伝達することができ、上述した効果と同様の効果を奏することができる。
【００３５】
（４）  本発明は、（１）または（２）のスイッチング電源について、前記制御手段は、前記スイッチング電源の２次側に設けられ、前記スイッチ素子のオン・オフの周波数を制御する制御信号を、当該スイッチング電源の２次側から１次側に信号伝達する伝達手段（例えば、図４の絶縁回路４１に相当）を介して、前記スイッチ素子に伝達することを特徴とするスイッチング電源を提案している。
【００３６】
この発明によれば、（１）または（２）のスイッチング電源において、制御手段をスイッチング電源の２次側に設け、この制御手段により、スイッチ素子のオン・オフの周波数を制御する制御信号を、スイッチング電源の２次側から１次側に信号伝達する伝達手段を介して、スイッチ素子に伝達することとした。このため、制御手段がスイッチング電源の２次側にある場合であっても、スイッチ素子のオン・オフの周波数を制御手段により制御することができ、上述した効果と同様の効果を奏することができる。
【００３７】
（５）  本発明は、（１）〜（４）のいずれかのスイッチング電源について、前記スイッチング電源の入力部に力率改善回路（例えば、図３の力率改善回路３０に相当）を備えることを特徴とするスイッチング電源を提案している。
【００３８】
この発明によれば、（１）〜（４）のいずれかのスイッチング電源において、スイッチング電源の入力部に力率改善回路を設けた。このため、力率改善回路に電力が供給されている期間では、力率改善回路により、スイッチング電源の電源特性の劣化を抑制できる。
【発明の効果】
【００３９】
本発明によれば、スイッチング電源の回路構成の複雑化および効率の低下を防止しつつ、間欠発振制御を開始するタイミングが変化してしまうのを抑制することができる。
【図面の簡単な説明】
【００４０】
【図１】本発明の第１実施形態に係るスイッチング電源の回路図である。
【図２】本発明の第２実施形態に係るスイッチング電源の回路図である。
【図３】本発明の第３実施形態に係るスイッチング電源の回路図である。
【図４】本発明の第４実施形態に係るスイッチング電源の回路図である。
【図５】本発明の第５実施形態に係るスイッチング電源の回路図である。
【図６】従来例に係るスイッチング電源の回路図である。
【図７】図６とは異なる従来例に係るスイッチング電源の回路図である。
【図８】軽負荷時における前記スイッチング電源の出力電圧の変化を示す図である。
【図９】軽負荷時における前記スイッチング電源の所定の端子の電圧の変化を示す図である。
【図１０】前記スイッチング電源の出力電圧と発振周波数との関係を示す図である。
【図１１】図１０とは異なる実施例に係る軽負荷時における前記スイッチング電源の所定の端子の電圧の変化を示す図である。
【発明を実施するための形態】
【００４１】
以下、本発明の実施形態について図面を参照しながら説明する。なお、以下の実施形態における構成要素は適宜、既存の構成要素などとの置き換えが可能であり、また、他の既存の構成要素との組合せを含む様々なバリエーションが可能である。したがって、以下の実施形態の記載をもって、特許請求の範囲に記載された発明の内容を限定するものではない。
【００４２】
＜第１実施形態＞
［スイッチング電源１の構成］
図１は、本発明の第１実施形態に係るスイッチング電源１の回路図である。スイッチング電源１は、図６に示した従来例に係るスイッチング電源１００とは、入力電圧検出部２０を備える点と、制御回路１１０の代わりに制御回路１０を備える点と、が異なる。なお、スイッチング電源１において、スイッチング電源１００と同一構成要件については、同一符号を付し、その説明を省略する。
【００４３】
制御回路１０は、端子Ｐ１および端子電圧制御部１１を備える。
【００４４】
［スイッチング電源１の動作］
スイッチング電源１において、入力電圧検出部２０は、入力電圧、または、入力電圧に応じた電圧を検出し、検出結果に応じた信号を制御回路１０に送る。
【００４５】
ここで、入力電圧に応じた電圧とは、入力電圧の変化に追随して変化する電圧のことであり、例えば、抵抗を用いて入力電圧を抵抗分圧したものや、増幅回路を用いて入力電圧を増幅したもののことである。
【００４６】
また、制御回路１０は、端子電圧制御部１１により、入力電圧検出部２０により検出された電圧に応じて、第１の閾値電圧Ｖａおよび第２の閾値電圧Ｖｂを設定する。具体的には、端子電圧制御部１１が、入力電圧検出部２０により検出された電圧に応じた第１の閾値電圧Ｖａおよび第２の閾値電圧Ｖｂの電圧値を求め、求めた電圧値に第１の閾値電圧Ｖａおよび第２の閾値電圧Ｖｂを設定する。
【００４７】
具体的には、端子電圧制御部１１が、入力電圧検出部２０により検出される電圧と第１の閾値電圧Ｖａとの関係を示すテーブルと、入力電圧検出部２０により検出される電圧と第２の閾値電圧Ｖｂとの関係を示すテーブルと、を予め記憶している。そして、これらテーブルを参照して、入力電圧検出部２０により検出された電圧に応じた第１の閾値電圧Ｖａおよび第２の閾値電圧Ｖｂの電圧値を求め、求めた電圧値に第１の閾値電圧Ｖａおよび第２の閾値電圧Ｖｂを設定する。
【００４８】
なお、端子電圧制御部１１が記憶している上述の２種類のテーブルに定められている情報は、入力電圧検出部２０により検出される電圧ごとに、負荷が軽くなり始めてから端子Ｐ１の電圧が第１の閾値電圧Ｖａ以上になるまでの負荷電流が、等しくなるようになっている。
【００４９】
また、制御回路１０は、端子電圧制御部１１により設定された第１の閾値電圧Ｖａおよび第２の閾値電圧Ｖｂと、端子Ｐ１の電圧と、に基づいてスイッチ素子Ｑ１、Ｑ２のオン・オフの周波数を制御する。
【００５０】
以上のスイッチング電源１によれば、以下の効果を奏することができる。
【００５１】
スイッチング電源１は、入力電圧または入力電圧に応じて、第１の閾値電圧Ｖａおよび第２の閾値電圧Ｖｂを設定する。このため、出力電圧Ｖｏが異なっていても、負荷が軽くなり始めてから発振周波数ｆｓｗが最大発振周波数ｆｍａｘになるまでの負荷電流の差異を、発振周波数ｆｓｗが最大発振周波数ｆｍａｘになってから端子Ｐ１の電圧が第１の閾値電圧Ｖａ以上になるまでの負荷電流の差異で打ち消すことができる。したがって、出力電圧Ｖｏが異なっていても、負荷が軽くなり始めてから端子Ｐ１の電圧が第１の閾値電圧Ｖａになるまでの負荷電流を、等しくすることができる。よって、間欠発振制御を開始するタイミングが変化してしまうのを抑制できる。
【００５２】
また、スイッチング電源１は、出力電流を検出することなく、上述のように間欠発振制御を開始するタイミングが変化してしまうのを抑制できる。このため、スイッチング電源１全体の回路構成が複雑かしてしまうのを防止できるとともに、効率の低下を防止できる。
【００５３】
＜第２実施形態＞
［スイッチング電源１Ａの構成］
図２は、本発明の第２実施形態に係るスイッチング電源１Ａの回路図である。スイッチング電源１Ａは、図１に示した本発明の第１実施形態に係るスイッチング電源１とは、図１に示した本発明の第１実施形態に係るスイッチング電源１とは、フォトトランジスタＰＣ２の接続が異なる。なお、スイッチング電源１Ａにおいて、スイッチング電源１と同一構成要件については、同一符号を付し、その説明を省略する。
【００５４】
フォトトランジスタＰＣ２のコレクタには、端子Ｐ１が接続され、フォトトランジスタＰＣ２のエミッタには、入力端子ＧＮＤが接続される。
【００５５】
以上のスイッチング電源１Ａによれば、スイッチング電源１が奏することのできる上述の効果と同様の効果を奏することができる。
【００５６】
＜第３実施形態＞
［スイッチング電源１Ｂの構成］
図３は、本発明の第３実施形態に係るスイッチング電源１Ｂの回路図である。スイッチング電源１Ｂは、図１に示した本発明の第１実施形態に係るスイッチング電源１とは、入力部に力率改善回路３０を設けられている点が異なる。なお、スイッチング電源１Ｂにおいて、スイッチング電源１と同一構成要件については、同一符号を付し、その説明を省略する。
【００５７】
［スイッチング電源１Ｂの動作］
力率改善回路３０は、昇圧コンバータを構成し、スイッチング電源１Ｂの入力電圧が予め定められた閾値より高い場合に動作する。このため、入力電圧が閾値より高い場合には、力率改善回路３０が入力電圧を昇圧して、入力電圧範囲を狭くする。一方、入力電圧が閾値以下である場合（例えば、停電時など）には、力率改善回路３０は動作しない。
【００５８】
以上のスイッチング電源１Ｂによれば、スイッチング電源１が奏することのできる上述の効果に加えて、以下の効果を奏することができる。
【００５９】
スイッチング電源１Ｂは、入力電圧が閾値より高い場合に、力率改善回路３０により入力電圧範囲を狭くして、スイッチング電源１Ｂの電源特性の劣化を抑制できる。
【００６０】
＜第４実施形態＞
［スイッチング電源１Ｃの構成］
図４は、本発明の第４実施形態に係るスイッチング電源１Ｃの回路図である。スイッチング電源１Ｃは、図１に示した本発明の第１実施形態に係るスイッチング電源１とは、制御回路１０、フォトトランジスタＰＣ２、フォトダイオードＰＣ１、および抵抗Ｒ１の代わりに、制御回路１０Ｂおよび絶縁回路４１、４２を備える点が異なる。なお、スイッチング電源１Ｃにおいて、スイッチング電源１と同一構成要件については、同一符号を付し、その説明を省略する。
【００６１】
制御回路１０Ｂは、端子Ｐ１および端子電圧制御部１１Ｂを備え、スイッチング電源１Ｃの２次側に設けられている。具体的には、制御回路１０Ｂは、端子Ｐ１において、誤差増幅器ＡＭＰの出力端子に直接接続されている。また、制御回路１０Ｂは、絶縁回路４１を介して、スイッチ素子Ｑ１のゲートと、スイッチ素子Ｑ２のゲートと、に接続されるとともに、絶縁回路４２を介して入力電圧検出部２０に接続される。
【００６２】
［スイッチング電源１Ｃの動作］
制御回路１０Ｂは、端子電圧制御部１１Ｂにより、入力電圧検出部２０により検出される電圧と第１の閾値電圧Ｖａとの関係を示すテーブルと、入力電圧検出部２０により検出される電圧と第２の閾値電圧Ｖｂとの関係を示すテーブルと、を予め記憶している。そして、これらテーブルを参照して、入力電圧検出部２０により検出された電圧に応じた第１の閾値電圧Ｖａおよび第２の閾値電圧Ｖｂの電圧値を求め、求めた電圧値に第１の閾値電圧Ｖａおよび第２の閾値電圧Ｖｂを設定する。
【００６３】
また、制御回路１０Ｂは、端子電圧制御部１１Ｂにより設定された第１の閾値電圧Ｖａおよび第２の閾値電圧Ｖｂと、端子Ｐ１の電圧と、に基づいてスイッチ素子Ｑ１、Ｑ２のオン・オフの周波数を制御する。
【００６４】
以上のスイッチング電源１Ｃによれば、スイッチング電源１が奏することのできる上述の効果と同様の効果を奏することができる。
【００６５】
＜第５実施形態＞
［スイッチング電源１Ｄの構成］
図５は、本発明の第５実施形態に係るスイッチング電源１Ｄの回路図である。スイッチング電源１Ｄは、図４に示した本発明の第４実施形態に係るスイッチング電源１Ｃとは、制御回路１０Ｂ、入力電圧検出部２０、および絶縁回路４２の代わりに、制御回路１０Ｃを備える点が異なる。なお、スイッチング電源１Ｄにおいて、スイッチング電源１Ｃと同一構成要件については、同一符号を付し、その説明を省略する。
【００６６】
制御回路１０Ｃは、端子Ｐ１および端子電圧制御部１１Ｃを備え、スイッチング電源１Ｄの２次側に設けられている。具体的には、制御回路１０Ｃは、端子Ｐ１において、誤差増幅器ＡＭＰの出力端子に直接接続されている。また、制御回路１０Ｃは、出力端子ＯＵＴ１に接続されるとともに、絶縁回路４１を介して、スイッチ素子Ｑ１のゲートと、スイッチ素子Ｑ２のゲートと、に接続される。
【００６７】
［スイッチング電源１Ｄの動作］
制御回路１０Ｃは、端子電圧制御部１１Ｃにより、出力電圧と第１の閾値電圧Ｖａとの関係を示すテーブルと、出力電圧と第２の閾値電圧Ｖｂとの関係を示すテーブルと、を予め記憶している。そして、これらテーブルを参照して、出力電圧に応じた第１の閾値電圧Ｖａおよび第２の閾値電圧Ｖｂの電圧値を求め、求めた電圧値に第１の閾値電圧Ｖａおよび第２の閾値電圧Ｖｂを設定する。
【００６８】
また、制御回路１０Ｃは、端子電圧制御部１１Ｃにより設定された第１の閾値電圧Ｖａおよび第２の閾値電圧Ｖｂと、端子Ｐ１の電圧と、に基づいてスイッチ素子Ｑ１、Ｑ２のオン・オフの周波数を制御する。
【００６９】
以上のスイッチング電源１Ｄによれば、スイッチング電源１Ｃが奏することのできる上述の効果と同様の効果を奏することができる。
【００７０】
本発明は、上述の実施形態に限定されるものではなく、この発明の要旨を逸脱しない範囲内で様々な変形や応用が可能である。
【００７１】
例えば、上述の各実施形態では、１次側回路にはハーフブリッジ回路が設けられるものとしたが、これに限らず、例えばフルブリッジ回路が設けられるものであってもよい。
【００７２】
また、上述の各実施形態では、トランスＴはいわゆるセンタタップを有するものとしたが、これに限らない。
【００７３】
また、上述の各実施形態では、１次側回路には共振回路としてＬＬＣ共振回路が設けられるものとしたが、これに限らない。
【００７４】
また、上述の各実施形態では、第１の閾値電圧Ｖａおよび第２の閾値電圧Ｖｂの双方を設定するものとしたが、これに限らず、例えば第１の閾値電圧Ｖａのみを設定してもよい。
【００７５】
また、上述の第１実施形態や第２実施形態における入力電圧検出部２０は、入力電圧、または、入力電圧に応じた電圧を検出するものとしたが、これに限らず、出力電圧、または、出力電圧に応じた電圧を検出してもよい。出力電圧、または、出力電圧に応じた電圧の検出結果に応じて閾値電圧を設定する場合にも、負荷が軽くなり始めてから、出力電圧または出力電圧に応じた電圧が閾値電圧になるまでの負荷電流を等しくすることができる。よって、間欠発振制御を開始するタイミングが変化してしまうのを抑制できる。
【００７６】
また、上述の第３実施形態において、力率改善回路３０を設けた例を説明したが、他の実施形態においても、力率改善回路３０を設けることができる。
【００７７】
また、全ての実施形態において、端子電圧制御部１１、１１Ａ、１１Ｂ、１１Ｃは、電圧検出手段により検出される電圧（入力電圧または出力電圧）と、閾値電圧Ｖａ、Ｖｂと、の関係を示す情報を予め保持しており、情報を用いて、電圧検出手段により検出された電圧に応じた閾値電圧Ｖａ、Ｖｂの電圧値を求め、求めた電圧値に閾値電圧Ｖａ、Ｖｂを制御するものとしたが、これに限らない。例えば、制御回路１０、１０Ａ、１０Ｂ、１０Ｃに、予め定められた所定の端子を設け、端子電圧制御部１１、１１Ａ、１１Ｂ、１１Ｃを、電圧検出手段により検出された電圧（入力電圧または出力電圧）に応じて、前記所定の端子に接続された抵抗の抵抗値または当該抵抗に流れる電流値を制御し、当該抵抗値または当該電流値に応じた電圧値を求め、求めた電圧値に閾値電圧Ｖａ、Ｖｂを設定するように構成することもできる。
【符号の説明】
【００７８】
１、１Ａ、１Ｂ、１Ｃ、１Ｄ、１００、１００Ａ；スイッチング電源
１０、１０Ａ、１０Ｂ、１０Ｃ、１１０、１１０Ａ；制御回路
１１、１１Ａ、１１Ｂ、１１Ｃ；端子電圧制御部
２０；入力電圧検出部
３０；力率改善回路
４１、４２、１３０；絶縁回路
ＡＭＰ；誤差増幅器
ＰＣ１；フォトダイオード
ＰＣ２；フォトトランジスタ
Ｐ１；端子
Ｑ１、Ｑ２；スイッチ素子
Ｔ；トランス
【図１】
2014093810.tif 000003
【図２】
2014093810.tif 000004
【図３】
2014093810.tif 000005
【図４】
2014093810.tif 000006
【図５】
2014093810.tif 000007
【図６】
2014093810.tif 000008
【図７】
2014093810.tif 000009
【図８】
2014093810.tif 000010
【図９】
2014093810.tif 000011
【図１０】
2014093810.tif 000012
【図１１】
2014093810.tif 000013